(57)【要約】 【課題】腰痛や足の関節痛等が容易に且つ確実に軽減させることができる骨盤矯正用履物を提供すること。【解決手段】歩行時において母指側に力が入り、大腿内転筋群を中心に腹横筋をはじめとする鼠頚部周辺の筋群が強化されるようにしてある履物であって、足裏との接触面高さが、外指側よりも母指側を低く設定してある（母指側よりも外指側が低く設定してある）。歩行時において一方の脚側の大腿二頭筋や股関節の伸筋群が強化され、他方の脚側の大腿四頭筋や股関節の屈筋群が強化されるようにしてある履物であって、一方の脚側の足裏との接触面高さが、他方の脚側の足裏との接触面高さよりも、高く設定してある。【選択図】図１
2007075233.tif 000002
【特許請求の範囲】
【請求項１】
歩行時において母指側に力が入り、大腿内転筋群を中心に腹横筋をはじめとする鼠頚部周辺の筋群が強化されるようにしてある履物であって、
足裏との接触面高さが、外指側よりも母指側を低く設定してあることを特徴とする骨盤矯正用履物。
【請求項２】
歩行時においては外指側に力が入り、骨盤外筋と腸骨外側から脛骨に至る靱帯を中心に股関節を外転させる筋群が強化されるようにしてある履物であって、足裏との接触面の高さが、母指側よりも外指側が低く設定してあることを特徴とする骨盤矯正用履物。
【請求項３】
歩行時において一方の脚側の大腿二頭筋や股関節の伸筋群が強化され、他方の脚側の大腿四頭筋や股関節の屈筋群が強化されるようにしてある履物であって、一方の脚側の足裏との接触面高さが、他方の脚側の足裏との接触面高さよりも、高く設定してあることを特徴とする骨盤矯正用履物。
【請求項４】
歩行時において一方の脚側の大腿二頭筋や股関節の伸筋群の弱りが強化され、他方の脚側の大腿四頭筋や股関節の屈筋群が強化されるようにしてある履物であって、一方の脚側の足裏との接触面高さが、他方の脚側の足裏との接触面高さよりも、高く設定してあることを特徴とする請求項１又は２記載の骨盤矯正用履物。
【発明の詳細な説明】
【技術分野】
【０００１】
この発明は、骨盤を支持する筋肉の強化を適正に行うための骨盤矯正用履物に関するものである。
【背景技術】
【０００２】
一般に人の体は成長過程の生活習慣等で直立状態に正立していることは希であり、ほとんどの人は左右いずれかの方向に骨盤が傾くように歪んでいる。
【０００３】
骨盤の傾きは、腰痛や足の関節痛等を招き、歩行が困難になったり、または歩行がほとんどできなくなるという重大な事態を招く。
【０００４】
そこで、発明者は、整体学的な研究並びに長年の経験から、上記重大な事態を引き起こす、両足の長さの相違、及び股関節の外転・内転の診断方法を確立し、この診断方法による結果からこれらを上記重大な事態を引き起こす骨盤の歪みを容易に且つ確実に軽減できる用具の開発に取りかかった。
【０００５】
近年、腰痛や足の関節痛等を持つ人は多く、これらの人々の間では前記痛みを容易に且つ確実に軽減させることができる用具が市販されることを待ち望んでいる。
【０００６】
なお、従来の健康履物としては例えば、特許文献１があるが、上記のような問題を解決するものではないことが明らかである。
【特許文献１】特開２００５−２１５９１
【発明の開示】
【発明が解決しようとする課題】
【０００７】
そこで、この発明では、腰痛や足の関節痛等が容易に且つ確実に軽減させることができる骨盤矯正用履物を提供することを課題とする
【課題を解決するための手段】
【０００８】
（請求項１記載の発明）
この発明は、歩行時において母指側に力が入り、大腿内転筋群を中心に腹横筋をはじめとする鼠頚部周辺の筋群が強化されるようにしてある履物であって、
足裏との接触面高さが、外指側よりも母指側を低く設定してある。
（請求項２記載の発明）
この発明は、歩行時においては外指側に力が入り、骨盤外筋と腸骨外側から脛骨に至る靱帯を中心に股関節を外転させる筋群が強化されるようにしてある履物であって、足裏との接触面の高さが、母指側よりも外指側が低く設定してある。
（請求項３記載の発明）
この発明は、歩行時において一方の脚側の大腿二頭筋や股関節の伸筋群が強化され、他方の脚側の大腿四頭筋や股関節の屈筋群が強化されるようにしてある履物であって、一方の脚側の足裏との接触面高さが、他方の脚側の足裏との接触面高さよりも、高く設定してある。
（請求項４記載の発明）
この発明は、上記請求項１又は２記載の発明に関して、歩行時において一方の脚側の大腿二頭筋や股関節の伸筋群が強化され、他方の脚側の大腿四頭筋や股関節の屈筋群が強化されるようにしてある履物であって、一方の脚側の足裏との接触面高さが、他方の脚側の足裏との接触面高さよりも、高く設定してある。
【発明の効果】
【０００９】
この発明の骨盤矯正用履物を履いて歩行するだけで、腰痛や足の関節痛等が容易に且つ確実に軽減できる。
【発明を実施するための最良の形態】
【００１０】
以下にこの発明の骨盤矯正用履物を実施するための最良の形態としての実施例について詳細に説明する。
【００１１】
図１〜図４の（ａ）は腰骨の歪みから生じる両足の状態を示す上面図、（ｂ）は前記両足の状態から選択された骨盤矯正用履物１を前側から見た図、（ｃ）は前記両足の状態から選択された骨盤矯正用履物１を後側から見た図を示している。
【００１２】
この骨盤矯正用履物１は、サンダル形式のものであり、図１〜図４の（ａ）（ｂ）に示すように、足載せ部１０にバンド１１を取り付けてなるものであり、基本的な形状は一般のものと相違するものではない。相違する点は、腰骨の歪みの症状（以下に示す両足の状態から診断）に合わせて、母指側と外指側で足載せ部１０の厚みを相違するものとしたり、左右のサンダル相互で足載せ部１０の厚みを相違するものとしている。
【実施例１】
【００１３】
（Ａ）症例１
(1)腰骨の歪みからでる両足の状態の診断について
図１の（ａ）は、仰向けの状態で身体を真っ直ぐ（直線状）にしたときの足の状態を示している。図１の（ａ）中、符号８は左足、符号９は右足、符号８０は左足の踝、符号９０は右足の踝を示しており、これについては図２〜図８において同じである。
【００１４】
この症例１では、図１に示すように、左足８は正常であり、右足９は左足８よりも短く（左右踝８０，９０を基準に判断）なっている。また、右足９は外転している。
(2)骨盤矯正用履物の選択について
このような症状がある患者の場合、左足８側には母指側の厚みと外指側の厚みとが同等であり且つ図１の（ｃ）に示す如き全体として厚手の足載せ部１０を履かせ、右足９側には図１の（ｂ）に示す如き母指側の厚みが外指側の厚みより薄く（足裏との接触面高さが、外指側よりも母指側を低く）且つ図１（ｃ）に示す如き全体として薄手の足載せ部１０を履かせる。
(3)結果
この骨盤矯正用履物１であるサンダルを患者に履かせた状態で歩行させると、右足９の母指側に力が入り、右足９の大腿内転筋群を中心に腹横筋をはじめとする鼠頚部周辺の筋群が強化されると共に大腿四頭筋や股関節の屈筋群が強化され、また、左足８側の大腿二頭筋や股関節の伸筋群が強化される。
【００１５】
したがって、骨盤は上記強化された柔軟な筋肉によりしっかりと支持されることになり、当該骨盤は最適な状態に近づき、その結果、症例１の患者における腰痛や足の関節痛等が容易に且つ確実に軽減させることができた。
【００１６】
なお、その後、症例１の患者の診断をすると、右足９の長さは左足９に対して同程度の長さに近づき且つ外転の角度も少なくなっていることが確認できた。
【実施例２】
【００１７】
（Ｂ）症例２
(1)腰骨の歪みからでる両足の状態の診断について
図２の（ａ）は、仰向けの状態で身体を真っ直ぐ（直線状）にしたときの足の状態を示している。
【００１８】
この症例２では、図２に示すように、左足８は正常であり、右足９は左足８よりも少し長く（左右踝８０，９０を基準に判断）なっている。また、右足９は外転している。
(2)骨盤矯正用履物の選択について
このような症状がある患者の場合、左足８側には母指側の厚みと外指側の厚みとが同等であり且つ図２の（ｃ）に示す如き全体として薄手の足載せ部１０を履かせ、右足９側には図２の（ｂ）に示す如き母指側の厚みが外指側の厚みより薄く（足裏との接触面高さが、外指側よりも母指側を低く）且つ図２（ｃ）に示す如き全体として厚手の足載せ部１０を履かせる。
(3)結果
この骨盤矯正用履物１であるサンダルを患者に履かせた状態で歩行させると、右足９の母指側に力が入り、右足９の大腿内転筋群を中心に腹横筋をはじめとする鼠頚部周辺の筋群が強化されると共に大腿二頭筋や股関節の伸筋群が強化され、また、左足８側の大腿四頭筋や股関節の屈筋群が強化される。
【００１９】
したがって、骨盤は上記強化された柔軟な筋肉によりしっかりと支持されることになり、当該骨盤は最適な状態に近づき、その結果、症例２の患者における腰痛や足の関節痛等が容易に且つ確実に軽減させることができた。
【００２０】
なお、その後、症例２の患者の診断をすると、右足９の長さは左足８に対して同程度の長さに近づき且つ外転の角度も少なくなっていることが確認できた。
【実施例３】
【００２１】
（Ｃ）症例３
(1)腰骨の歪みからでる両足の状態の診断について
図３の（ａ）は、仰向けの状態で身体を真っ直ぐ（直線状）にしたときの足の状態を示している。
【００２２】
この症例３では、図３に示すように、左足８は正常であり、右足９は左足８よりも短く（左右踝８０，９０を基準に判断）なっている。また、右足９は内転している。
(2)骨盤矯正用履物の選択について
このような症状がある患者の場合、左足８側には母指側の厚みと外指側の厚みとが同等であり且つ図３の（ｃ）に示す如き全体として厚手の足載せ部１０を履かせ、右足９側には図３の（ｂ）に示す如き母指側の厚みが外指側の厚みより厚く（足裏との接触面高さが、母指側よりも外指側を低く）且つ図３（ｃ）に示す如き全体として薄手の足載せ部１０を履かせる。
(3)結果
この骨盤矯正用履物１であるサンダルを患者に履かせた状態で歩行させると、右足９の外指側に力が入り、右足９の骨盤外筋と腸骨外側から脛骨に至る靱帯（腸ケイ靱帯）を中心に股関節を外転させる筋群が強化されると共に大腿四頭筋や股関節の屈筋群等が強化され、また、左足８側の大腿二頭筋や股関節の伸屈筋群が強化される。
【００２３】
したがって、骨盤は上記強化された柔軟な筋肉によりしっかりと支持されることになり、当該骨盤は最適な状態に近づき、その結果、症例３の患者における腰痛や足の関節痛等が容易に且つ確実に軽減させることができた。
【００２４】
なお、その後、症例３の患者の診断をすると、右足９の長さは左足９に対して同程度の長さに近づき且つ内転の角度も少なくなっていることが確認できた。
【実施例４】
【００２５】
（Ｃ）症例４
(1)腰骨の歪みからでる両足の状態の診断について
図４の（ａ）は、仰向けの状態で身体を真っ直ぐ（直線状）にしたときの足の状態を示している。
【００２６】
この症例４では、図４に示すように、左足８は正常であり、右足９は左足８よりも長く（左右踝８０，９０を基準に判断）なっている。また、右足９は内転している。
(2)骨盤矯正用履物の選択について
このような症状がある患者の場合、左足８側には母指側の厚みと外指側の厚みが同等であり且つ図４の（ｃ）に示す如き全体として薄手の足載せ部１０を履かせ、右足９側には図４の（ｂ）に示す如き母指側の厚みが外指側の厚みより厚く（足裏との接触面高さが、母指側よりも外指側を低く）且つ図４（ｃ）に示す如き全体として厚手の足載せ部１０を履かせる。
(3)結果
この骨盤矯正用履物１であるサンダルを患者に履かせた状態で歩行させると、右足９の外指側に力が入り、右足９の骨盤外筋と腸骨外側から脛骨に至る靱帯（腸ケイ靱帯）を中心に股関節を外転させる筋群が強化されると共に大腿二頭筋や股関節の伸筋群等が強化され、また、左足８側の大腿四頭筋や股関節の屈屈筋群が強化される。
【００２７】
したがって、骨盤は上記強化された柔軟な筋肉によりしっかりと支持されることになり、当該骨盤は最適な状態に近づき、その結果、症例４の患者における腰痛や足の関節痛等が容易に且つ確実に軽減させることができた。
【００２８】
なお、その後、症例４の患者の診断をすると、右足９の長さは左足８に対して同程度の長さに近づき且つ内転の角度も少なくなっていることが確認できた。
（その他）
上記実施例では骨盤矯正用履物１をサンダル形式としたが、これに限定されることなく、靴その他履物に採用できる。
【００２９】
この骨盤矯正用履物１は、以下の(1)(2)(3)うちの一つのみ、(1)(2)(3)うちの二つの組み合わせ、(1)(2)(3)の三つの組み合わせたものとすることができる。
(1)歩行時において母指側に力が入り、大腿内転筋群を中心に腹横筋をはじめとする鼠頚部周辺の筋群が強化されるようにしてあり、足裏との接触面高さが、外指側よりも母指側を低く設定してある。
(2)歩行時においては外指側に力が入り、骨盤外筋と腸骨外側から脛骨に至る靱帯を中心に股関節を外転させる筋群が強化されるようにしてあり、足裏との接触面の高さが、母指側よりも外指側が低く設定してある。
(3)歩行時において一方の脚側の大腿二頭筋や股関節の伸筋群が強化され、他方の脚側の大腿四頭筋や股関節の屈筋群が強化されるようにしてあり、一方の脚側の足裏との接触面高さが、他方の脚側の足裏との接触面高さよりも、高く設定してある。
【図面の簡単な説明】
【００３０】
【図１】この発明の実施例１の骨盤矯正用履物に関する内容であり、（ａ）は症例１の両足の状態を示す説明図、（ｂ）は問題がある足側に使用される骨盤矯正用履物を前方から見た図、（ｃ）は問題がある足側に使用される骨盤矯正用履物を後方から見た図。
【図２】この発明の実施例２の骨盤矯正用履物に関する内容であり、（ａ）は症例２の両足の状態を示す説明図、（ｂ）は問題がある足側に使用される骨盤矯正用履物を前方から見た図、（ｃ）は問題がある足側に使用される骨盤矯正用履物を後方から見た図。
【図３】この発明の実施例３の骨盤矯正用履物に関する内容であり、（ａ）は症例３の両足の状態を示す説明図、（ｂ）は問題がある足側に使用される骨盤矯正用履物を前方から見た図、（ｃ）は問題がある足側に使用される骨盤矯正用履物を後方から見た図。
【図４】この発明の実施例４の骨盤矯正用履物に関する内容であり、（ａ）は症例４の両足の状態を示す説明図、（ｂ）は問題がある足側に使用される骨盤矯正用履物を前方から見た図、（ｃ）は問題がある足側に使用される骨盤矯正用履物を後方から見た図。
【符号の説明】
【００３１】
１      骨盤矯正用履物
１０    足載せ部
１１    バンド
【図１】
2007075233.tif 000003
【図２】
2007075233.tif 000004
【図３】
2007075233.tif 000005
【図４】
2007075233.tif 000006